(57)【要約】【課題】ＦＭ変調波のフィルタの切り替えにより帯域幅制御を行うＦＭ復調装置において、通過帯域が狭帯域であっても歪みが発生しにくく、且つ、フィルタの切り替えによる違和感を低減できるＦＭ受信装置を実現する。【解決手段】複数の直線位相ＦＩＲ型のフィルタ係数を用い、帯域制限デジタルフィルタのフィルタ係数を切り替えて帯域制御を行う。フィルタ係数は、狭帯域から広帯域になるに従い、帯域幅の拡がりが大きくなる通過帯域特性を有している。電界強度、変調度によりフィルタ係数の選択を行う。【選択図】図４
2008011171.tif 000002
【特許請求の範囲】
【請求項１】
デジタル化されたＦＭ変調波から信号成分を抽出するＦＭ復調装置であって、
ＦＭ変調波を入力として、フィルタ係数が切り替え可能なデジタルフィルタにより帯域制限する帯域制限フィルタ手段と、
前記帯域制限フィルタ手段に用いる通過帯域幅の異なる直線位相のフィルタ係数を複数保持するフィルタ係数記憶手段と、
入力信号に含まれるノイズの割合が小さいとき、ノイズの割合が増加するにつれて、前記フィルタ係数記憶手段に保持されているフィルタ係数のうちから、前記帯域制限フィルタ手段の通過帯域幅が緩やかに小さくなるようフィルタ係数を選択し、入力信号に含まれるノイズの割合が大きいとき、ノイズの割合が減少するにつれて、前記帯域制限フィルタ手段の通過帯域幅が急峻に大きくなるようフィルタ係数を選択するフィルタ係数選択手段と
を備えることを特徴とするＦＭ復調装置。
【請求項２】
前記ＦＭ復調装置は、さらに、
入力信号から電界強度を検出する電界強度検出手段を備え、
前記フィルタ係数選択手段は、前記電界強度検出手段によって検出された電界強度が強いとき、電界強度が弱くなるにつれて、前記帯域制限フィルタ手段の通過帯域幅が小さくなり、かつ、前記通過帯域幅の差が緩やかに大きくなるよう前記フィルタ係数を選択し、前記電界強度が弱いとき、電界強度が強くなるにつれて、通過帯域幅が大きくなり、かつ、前記通過帯域幅の差が急峻に小さくなるよう前記フィルタ係数を選択する
ことを特徴とする請求項１記載のＦＭ復調装置。
【請求項３】
前記電界強度検出手段は、入力信号の絶対値を算出し、算出した絶対値が大きくなるときには小さくなるときよりも大きい時定数で、前記絶対値の平均化を行うことにより前記電界強度を検出し、
前記フィルタ係数選択手段は、検出された前記電界強度があらかじめ定めた閾値以下となった場合、電界強度が一定レベル低下する都度、通過帯域幅が一段小さくなるフィルタ係数を選択し、電界強度が一定レベル上昇する都度、通過帯域幅が一段大きくなるフィルタ係数を選択する
ことを特徴とする請求項２記載のＦＭ復調装置。
【請求項４】
前記ＦＭ復調装置は、さらに、
前記帯域制限フィルタ手段の出力信号から前記信号成分を抽出するＦＭ検波手段と、
前記ＦＭ検波手段の出力信号の振幅から変調度を検出する変調度検出手段とを備え、
前記フィルタ係数選択手段は、前記変調度検出手段によって検出された変調度が大きいとき、変調度が小さくなるにつれて、前記帯域制限フィルタ手段の通過帯域幅が小さくなり、かつ、前記通過帯域幅の差が緩やかに大きくなるよう前記フィルタ係数を選択し、前記変調度が小さいとき、変調度が大きくなるにつれて、通過帯域幅が大きくなり、かつ、前記通過帯域幅の差が急峻に小さくなるよう前記フィルタ係数を選択する
ことを特徴とする請求項１または請求項２記載のＦＭ復調装置。
【請求項５】
前記変調度検出手段は、前記ＦＭ検波手段の出力信号の絶対値を算出し、算出した前記絶対値が大きくなるときには小さくなるときよりも大きい時定数で、前記絶対値の平均化を行うことにより前記変調度を検出し、
前記フィルタ係数選択手段は、検出された前記変調度があらかじめ定めた閾値以下となった場合、変調度が一定レベル低下する都度、通過帯域幅が一段小さくなるフィルタ係数を選択し、変調度が一定レベル上昇する都度、通過帯域幅が一段大きくなるフィルタ係数を選択する
ことを特徴とする請求項４記載のＦＭ復調装置。
【請求項６】
前記変調度検出手段は、前記ＦＭ検波手段の出力信号の絶対値を算出し、算出した前記絶対値が大きくなるときには小さくなるときよりも大きい時定数で、前記絶対値の平均化を行うことにより前記変調度を検出し、
前記フィルタ係数選択手段は、検出された前記変調度が大きいとき、変調度が小さくなるにつれて、前記帯域制限フィルタ手段の通過帯域幅が小さくなり、かつ、前記通過帯域幅の差が緩やかに大きくなるよう前記フィルタ係数を選択し、前記変調度が小さいとき、変調度が大きくなるにつれて、通過帯域幅が大きくなり、かつ、前記通過帯域幅の差が急峻に小さくなるよう前記フィルタ係数を選択する
ことを特徴とする請求項４記載のＦＭ復調装置。
【請求項７】
前記フィルタ係数選択手段は、電界強度に応じて選択されたフィルタ係数と、変調度に応じて選択されたフィルタ係数とが異なる場合、通過帯域幅が大きい方のフィルタ係数を選択する
ことを特徴とする請求項４記載のＦＭ復調装置。
【請求項８】
前記フィルタ係数記憶手段に保持されている前記フィルタ係数において、前記フィルタ係数を通過帯域幅の順に並べたときに隣り合ったフィルタ係数で決まる通過帯域幅の比が一定となっている
ことを特徴とする請求項２または請求項４記載のＦＭ復調装置。
【請求項９】
前記フィルタ係数記憶手段に保持されている前記フィルタ係数における前記通過帯域幅の比が１ｄＢ以内である
ことを特徴とする請求項８記載のＦＭ復調装置。
【請求項１０】
入力されるＦＭ変調波が複素ベースバンド信号である
ことを特徴とする請求項１記載のＦＭ復調装置。
【請求項１１】
デジタル化されたＦＭ変調波から信号成分を抽出するＦＭ復調方法であって、
通過帯域幅の異なる直線位相のフィルタ係数を複数保持するフィルタ係数記憶手段を備え、
ＦＭ変調波を入力として、フィルタ係数が切り替え可能なデジタルフィルタにより帯域制限する帯域制限フィルタステップと、
入力信号に含まれるノイズの割合が小さいとき、ノイズの割合が増加するにつれて、前記フィルタ係数記憶手段に保持されているフィルタ係数のうちから、前記帯域制限フィルタステップにおける通過帯域幅が緩やかに小さくなるようフィルタ係数を選択し、入力信号に含まれるノイズの割合が大きいとき、ノイズの割合が減少するにつれて、前記帯域制限フィルタステップにおける通過帯域幅が急峻に大きくなるようフィルタ係数を選択するフィルタ係数選択ステップと
を含むことを特徴とするＦＭ復調方法。
【請求項１２】
通過帯域幅の異なる直線位相のフィルタ係数を複数保持するフィルタ係数記憶手段を備え、デジタル化されたＦＭ変調波から信号成分を抽出するＦＭ復調装置のためのプログラムであって、コンピュータに
ＦＭ変調波を入力として、フィルタ係数が切り替え可能なデジタルフィルタにより帯域制限する帯域制限フィルタステップと、入力信号に含まれるノイズの割合が小さいとき、ノイズの割合が増加するにつれて、前記フィルタ係数記憶手段に保持されているフィルタ係数のうちから、前記帯域制限フィルタステップにおける通過帯域幅が緩やかに小さくなるようフィルタ係数を選択し、入力信号に含まれるノイズの割合が大きいとき、ノイズの割合が減少するにつれて、前記帯域制限フィルタステップにおける通過帯域幅が急峻に大きくなるようフィルタ係数を選択するフィルタ係数選択ステップとを実行させるプログラム。
【発明の詳細な説明】
【技術分野】
【０００１】
本発明はＦＭ変調波を受信し、デジタル信号処理によってＦＭ復調するＦＭ復調装置、特に、帯域制限を行いＦＭ復調信号の音質を改善するＦＭ復調装置に関する。
【背景技術】
【０００２】
従来、ＦＭ復調において、中間周波信号の帯域制限を行いＦＭ復調信号の音質を改善するＦＭ復調装置が考案されている（例えば、特許文献１参照）。図６は、従来のＦＭ復調装置の構成を示すブロック図である。
【０００３】
同図に示すように、従来のＦＭ復調装置は、第１の中間周波増幅器１００、帯域可変バンドパスフィルタ１０１、第２の中間周波増幅器１０２、ＦＭ復調器１０３、レベル検出器１０４および帯域制御回路１０５を備える。
【０００４】
図６において、第１の中間周波増幅器１００は、中間周波信号を所定のレベルまで増幅する。帯域可変バンドパスフィルタ１０１は、第１の中間周波増幅器１００の出力信号の帯域幅を適応的に制御する。第２の中間周波増幅器１０２は、可変バンドパスフィルタ１０１の出力信号を所定のレベルまで増幅する。ＦＭ復調器１０３は、第２の中間周波増幅器１０２の出力をＦＭ復調する。レベル検出器１０４は、第１の中間周波信号の出力信号レベルを検出する。帯域制御回路１０５は、レベル検出器１０４で検出した信号レベルに応じて、帯域可変バンドパスフィルタ１０１の帯域幅を制御する。
【０００５】
レベル検出器１０４の出力はＦＭ受信機の受信電界強度に対応した電圧を発生する。帯域制御回路１０５では、図７に示すように電界強度に応じて帯域可変バンドパスフィルタ１０３の通過帯域幅を制御する。
【０００６】
帯域制御回路１０５は、電界強度が弱い受信状態では、受信信号のノイズ成分を抑圧するため帯域可変バンドパスフィルタ１０１の通過帯域を狭帯域とする。また、電界強度が強くなるに応じて帯域可変バンドパスフィルタ１０１の通過帯域を広帯域とし、受信に十分な帯域幅を確保する。これにより、音の歪みが少なく、音質のよいＦＭ受信を可能としている。
【特許文献１】特開２００３−１５２５７２号公報
【発明の開示】
【発明が解決しようとする課題】
【０００７】
しかしながら、ただ単にフィルタを狭帯域化するだけでは、通過帯域内の群遅延特性が周波数依存となり、依然としてＦＭ復調音声が歪みやすくなるという課題を有している。
【０００８】
本発明は、前記従来の課題を解決するもので、音の歪みを発生しにくい帯域切り替えを行い、弱電界でのＳ／Ｎの改善が可能なＦＭ復調装置を提供することを目的とする。
【課題を解決するための手段】
【０００９】
上記課題に鑑み、本発明のＦＭ復調装置は、デジタル化されたＦＭ変調波から信号成分を抽出するＦＭ復調装置であって、ＦＭ変調波を入力として、フィルタ係数が切り替え可能なデジタルフィルタにより帯域制限する帯域制限フィルタ手段と、前記帯域制限フィルタ手段に用いる通過帯域幅の異なる直線位相のフィルタ係数を複数保持するフィルタ係数記憶手段と、入力信号に含まれるノイズの割合が小さいとき、ノイズの割合が増加するにつれて、前記フィルタ係数記憶手段に保持されているフィルタ係数のうちから、前記帯域制限フィルタ手段の通過帯域幅が緩やかに小さくなるようフィルタ係数を選択し、入力信号に含まれるノイズの割合が大きいとき、ノイズの割合が減少するにつれて、前記帯域制限フィルタ手段の通過帯域幅が急峻に大きくなるようフィルタ係数を選択するフィルタ係数選択手段とを備えることを特徴とする。
【００１０】
なお、本発明は、装置として実現できるだけでなく、その装置を構成する処理手段をステップとする方法として実現したり、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データ又は信号として実現したりすることもできる。そして、それらプログラム、情報、データ及び信号は、インターネット等の通信ネットワークを介して配信してもよい。
【発明の効果】
【００１１】
本発明のＦＭ復調装置によれば、フィルタ係数群に複数の直線位相フィルタ係数が記憶され、フィルタ係数を狭帯域から広帯域の順に並べた場合、通過帯域幅の差が緩やかに大きくなる。このためフィルタ係数を狭帯域から広帯域に緩やかに変化させると通過帯域も緩やかに拡がるようになる。この結果、急激な通過帯域の変化がなく、顕著なノイズレベルの変化が発生したり、ＦＭ復調音声に違和感を生じたりすることがない。また、各フィルタ係数が直線位相特性であるため、群遅延特性が周波数に依存せず、いずれのフィルタ係数においてもＦＭ復調信号に歪みを発生させることがない。
【００１２】
また、電界強度検出手段で検出される受信電界強度は、強電界から弱電界へと電界が弱くなる場合は緩やかに減衰することにより、フィルタ係数選択手段で選択されるフィルタ係数は順次広帯域から狭帯域へと切り替わる。また、弱電界から強電界へと電界が強くなる場合は速やかに増大することにより、フィルタ係数選択手段で選択されるフィルタ係数は急峻に広帯域化し、Ｓ／Ｎが良く、歪みの少ないＦＭ復調信号が得られる。
【００１３】
変調度においても同様に、変調度検出手段で検出される変調度は、変調度が大から小へ変化する場合には検出した変調度は緩やかに減少し、フィルタ係数選択手段で選択されるフィルタ係数は順次広帯域から狭帯域へと切り替わる。また、変調度が小から大へ変化する場合には検出した変調度が速やかに増大することにより、フィルタ係数選択手段で選択されるフィルタ係数は急峻に広帯域化する。このように、フィルタ係数が急峻に広帯域化することにより、過変調となることを速やかに抑圧することができるので、歪みの少ないＦＭ復調信号が得られる。
【発明を実施するための最良の形態】
【００１４】
以下、本発明に係るＦＭ復調装置の各実施の形態について、図面を参照しながら説明する。
【００１５】
（実施の形態１）
図１は、本発明の実施の形態１におけるＦＭ復調装置の構成を示すブロック図である。
【００１６】
ＦＭ復調装置２００は、入力されるベースバンド信号の電界強度が弱電界から強電界へと電界が強くなるときには急峻に広帯域化し、強電界から弱電界へと電界が弱くなるときには緩やかに広帯域から狭帯域へと切り替わるようバンドパスフィルタのフィルタ係数を選択することにより、音声の歪みを抑制するＦＭ復調装置であって、入力信号としてデジタル化された複素ベースバンド信号を入力する。このＦＭ復調装置２００は、請求項でいう「入力されるＦＭ変調波が複素ベースバンド信号である」に相当する。同図に示すように、このＦＭ復調装置２００は、帯域制限フィルタ部２０１、ＦＭ検波部２０２、電界強度検出部２０３、フィルタ係数選択部２０４およびフィルタ係数記憶部２０５を備える。帯域制限フィルタ部２０１は、入力された複素ベースバンド信号を帯域制限する。帯域制限された複素ベースバンド信号はＦＭ検波部２０２でＦＭ復調される。ＦＭ復調装置２００の入力信号である複素ベースバンド信号は、電界強度検出部２０３にも入力され、電界強度検出部２０３で受信信号（入力複素ベースバンド信号）の電界強度が推定される。
【００１７】
帯域制限フィルタ部２０１は、請求項でいう「ＦＭ変調波を入力として、フィルタ係数が切り替え可能なデジタルフィルタにより帯域制限する帯域制限フィルタ手段」に相当し、フィルタ係数記憶部２０５は「前記帯域制限フィルタ手段に用いる通過帯域幅の異なる直線位相のフィルタ係数を複数保持するフィルタ係数記憶手段」に相当し、フィルタ係数選択部２０４は、「入力信号に含まれるノイズの割合が小さいとき、ノイズの割合が増加するにつれて、前記フィルタ係数記憶手段に保持されているフィルタ係数のうちから、前記帯域制限フィルタ手段の通過帯域幅が緩やかに小さくなるようフィルタ係数を選択し、入力信号に含まれるノイズの割合が大きいとき、ノイズの割合が減少するにつれて、前記帯域制限フィルタ手段の通過帯域幅が急峻に大きくなるようフィルタ係数を選択するフィルタ係数選択手段」に相当する。
【００１８】
また、電界強度検出部２０３は、請求項でいう「入力信号から電界強度を検出する電界強度検出手段」に相当し、フィルタ係数選択部２０４は、「前記電界強度検出手段によって検出された電界強度が強いとき、電界強度が弱くなるにつれて、前記帯域制限フィルタ手段の通過帯域幅が小さくなり、かつ、前記通過帯域幅の差が緩やかに大きくなるよう前記フィルタ係数を選択し、前記電界強度が弱いとき、電界強度が強くなるにつれて、通過帯域幅が大きくなり、かつ、前記通過帯域幅の差が急峻に小さくなるよう前記フィルタ係数を選択する前記フィルタ係数選択手段」に相当する。
【００１９】
さらに、電界強度検出部２０３は、請求項でいう「入力信号の絶対値を算出し、算出した絶対値が大きくなるときには小さくなるときよりも大きい時定数で、前記絶対値の平均化を行うことにより前記電界強度を検出する前記電界強度検出手段」に相当し、フィルタ係数選択部２０４は、「検出された前記電界強度があらかじめ定めた閾値以下となった場合、電界強度が一定レベル低下する都度、通過帯域幅が一段小さくなるフィルタ係数を選択し、電界強度が一定レベル上昇する都度、通過帯域幅が一段大きくなるフィルタ係数を選択する前記フィルタ係数選択手段」に相当する。
【００２０】
図２は、フィルタ係数選択部２０４が電界強度に応じてフィルタ係数を選択する場合の電界強度とフィルタ係数番号の関係を示すグラフである。同図に示すグラフは、電界強度検出部２０３で推定される電界強度が所定の閾値を超えると、常にフィルタ係数番号１３がフィルタ係数選択部２０４によって選択され、電界強度が前記閾値以下になると電界強度の低下に比例して１つずつ小さいフィルタ係数番号が選択されることを示している。フィルタ係数選択部２０４では、図２に示すような関係で、推定した電界強度から帯域制限フィルタ部２０１で使用すべきフィルタ係数番号を選択し、選択された番号のフィルタ係数がフィルタ係数記憶部２０５から帯域制限フィルタ部に送られる。
【００２１】
図３は、フィルタ係数記憶部２０５に記憶されている各フィルタ係数の周波数特性図を示すグラフである。フィルタ係数記憶部２０５には、図３に示すような周波数特性を持つ１３個のフィルタ係数が格納されており、各フィルタは直線位相であり、群遅延特性は周波数によらず一定である。一番狭帯域のフィルタ係数を＃１、一番広帯域のフィルタ係数を＃１３とする。フィルタ係数＃Ｎとフィルタ係数＃（Ｎ＋１）との帯域幅比は、１．２２倍（約１ｄＢ）になるように設計されている。
【００２２】
このＦＭ復調装置２００は、請求項でいう「前記フィルタ係数記憶手段に保持されている前記フィルタ係数において、前記フィルタ係数を通過帯域幅の順に並べたときに隣り合ったフィルタ係数で決まる通過帯域幅の比が一定となっている」に相当する。また、ＦＭ復調装置２００は、請求項でいう「前記フィルタ係数記憶手段に保持されている前記フィルタ係数における前記通過帯域幅の比が１ｄＢ以内である」に相当する。
【００２３】
電界強度検出部２０３は、複素ベースバンド信号の絶対値を算出し、算出した絶対値を立ち下がり（電界強度が弱くなるとき）と立ち上がり（電界強度が強くなるとき）とが異なる時定数で平均化を行い電界強度を推定する。例えば、立ち下がりでの時定数は１００ｍｓ、立ち上がりでの時定数は１０ｍｓとして、強電界から弱電界へと電界が弱くなる場合は緩やかに減衰することにより、フィルタ係数選択部２０５で選択されるフィルタ係数は緩やかに１個ずつ順次広帯域から狭帯域へ切り替わる。このため、フィルタ係数の切り替えによる帯域幅の変化は１ｄＢ以内に抑えられ、大きなノイズレベルの変動が発生しない。
【００２４】
また、電界強度検出部２０３で検出される電界強度は、弱電界から強電界へと電界が強くなる場合は速やかに増大する。これにより、フィルタ係数選択部２０５で選択されるフィルタ係数は急峻に広帯域化し、Ｓ／Ｎが良く歪みの少ないＦＭ復調信号が得られる。この場合は、フィルタ切り替えによるノイズレベルの変動は起こるが、フィルタ係数の変化により広帯域になり、ノイズレベルが上昇する影響よりも電界強度が強くなるためにノイズレベルが低下することの方が支配的となり、ＦＭ復調音声の違和感にはなりにくい。
【００２５】
以上のように、本実施の形態１に係るＦＭ復調装置２００は、フィルタ係数群に複数の直線位相フィルタ係数が記憶され、フィルタ係数を狭帯域から広帯域の順に並べた場合、通過帯域幅の差が緩やかに大きくなるためフィルタ係数を狭帯域から広帯域に緩やかに変化させると通過帯域も緩やかに拡がるようになり、急激な通過帯域の変化がなく、ノイズレベルの変化が発生しＦＭ復調音声に違和感が生じることがない。各フィルタ係数が直線位相特性であるため、全てのフィルタ係数においてＦＭ復調信号に歪みを発生させることはない。
【００２６】
また、電界強度検出部で検出される受信電界強度は、強電界から弱電界へと電界が弱くなる場合は緩やかに減衰する。これにより、強電界から弱電界へと電界が弱くなる場合、フィルタ係数選択部で選択されるフィルタ係数は順次、広帯域から狭帯域へと切り替わる。従って、フィルタ係数の切り替えによるノイズレベルの変動が少なく、ＦＭ復調音声の歪みを低減できる。また、電界強度検出部で検出される受信電界強度は、弱電界から強電界へと電界が強くなる場合は速やかに増大する。これにより、フィルタ係数選択部２０４で選択されるフィルタ係数は急峻に広帯域化し、ノイズレベルが急激に低下するので、Ｓ／Ｎが良く歪みの少ないＦＭ復調信号が得られる。
【００２７】
（実施の形態２）
図４は、本発明の実施の形態２におけるＦＭ復調装置の構成を示すブロック図である。
【００２８】
ＦＭ復調装置４００は、実施の形態１のＦＭ復調装置の機能に加えてさらに、出力信号から変調度を検出し、検出された変調度を加味してフィルタ係数を選択するＦＭ復調装置であって、帯域制限フィルタ部２０１、ＦＭ検波部２０２、電界強度検出部２０３、フィルタ係数記憶部２０５、変調度検出部４０１及びフィルタ係数選択部４０２を備える。ＦＭ復調装置４００への入力信号であるデジタル化された複素ベースバンド信号と、ＦＭ復調装置４００の構成要素である帯域制限フィルタ部２０１、ＦＭ検波部２０２、電界強度検出部２０３、およびフィルタ係数記憶部２０５は、実施の形態１と同じものである。
【００２９】
ＦＭ検波部２０２は、請求項でいう「前記帯域制限フィルタ手段の出力信号から前記信号成分を抽出するＦＭ検波手段」に相当し、変調度検出部４０１は、「前記ＦＭ検波手段の出力信号の振幅から変調度を検出する変調度検出手段」に相当し、フィルタ係数選択部４０２は、「前記変調度検出手段によって検出された変調度が大きいとき、変調度が小さくなるにつれて、前記帯域制限フィルタ手段の通過帯域幅が小さくなり、かつ、前記通過帯域幅の差が緩やかに大きくなるよう前記フィルタ係数を選択し、前記変調度が小さいとき、変調度が大きくなるにつれて、通過帯域幅が大きくなり、かつ、前記通過帯域幅の差が急峻に小さくなるよう前記フィルタ係数を選択する前記フィルタ係数選択手段」に相当する。
【００３０】
また、変調度検出部４０１は、請求項でいう「前記ＦＭ検波手段の出力信号の絶対値を算出し、算出した前記絶対値が大きくなるときには小さくなるときよりも大きい時定数で、前記絶対値の平均化を行うことにより前記変調度を検出する前記変調度検出手段」に相当し、フィルタ係数選択部４０２は、「検出された前記変調度があらかじめ定めた閾値以下となった場合、変調度が一定レベル低下する都度、通過帯域幅が一段小さくなるフィルタ係数を選択し、変調度が一定レベル上昇する都度、通過帯域幅が一段大きくなるフィルタ係数を選択する前記フィルタ係数選択手段」に相当する。
【００３１】
さらに、変調度検出部４０１は、請求項でいう「前記ＦＭ検波手段の出力信号の絶対値を算出し、算出した前記絶対値が大きくなるときには小さくなるときよりも大きい時定数で、前記絶対値の平均化を行うことにより前記変調度を検出する前記変調度検出手段」に相当し、フィルタ係数選択部４０２は、「検出された前記変調度が大きいとき、変調度が小さくなるにつれて、前記帯域制限フィルタ手段の通過帯域幅が小さくなり、かつ、前記通過帯域幅の差が緩やかに大きくなるよう前記フィルタ係数を選択し、前記変調度が小さいとき、変調度が大きくなるにつれて、通過帯域幅が大きくなり、かつ、前記通過帯域幅の差が急峻に小さくなるよう前記フィルタ係数を選択する前記フィルタ係数選択手段」に相当する。
【００３２】
ＦＭ検波部２０２の出力信号は、変調度検出部４０１に入力され、変調度検出部４０１で変調度が推定される。図５は、フィルタ係数選択部４０２が変調度に応じてフィルタ係数を選択する場合の変調度とフィルタ係数番号の関係を示すグラフである。同図に示すグラフは、変調度検出部４０１で推定される変調度が所定の閾値を超えると、フィルタ係数番号１３がフィルタ係数選択部４０２によって選択され、変調度が前記閾値以下になると、変調度が大から小へ変化する場合には変調度の変化に対して緩やかに、より小さい番号のフィルタ係数番号が選択され、変調度が小から大へ変化する場合には変調度の変化に対して急激に、より大きい番号のフィルタ係数番号が選択されることを示している。フィルタ係数選択部４０２では、図２に示した電界強度とフィルタ番号の関係により推定した電界強度から決まるフィルタ係数番号と、図５に示した変調度とフィルタ係数番号の関係により変調度から決まるフィルタ係数番号との大きな方を帯域制限フィルタ部２０１で使用すべきフィルタ係数番号として選択し、選択されたフィルタ係数がフィルタ係数記憶部２０６から帯域制限フィルタ部に送られる。フィルタ係数選択部４０２は、請求項でいう「電界強度に応じて選択されたフィルタ係数と、変調度に応じて選択されたフィルタ係数とが異なる場合、通過帯域幅が大きい方のフィルタ係数を選択する前記フィルタ係数選択手段」に相当する。
【００３３】
変調度検出部４０１は、ＦＭ検波部２０２の出力信号の絶対値を算出し、算出した絶対値を立ち下がり（変調度が小さくなるとき）と立ち上がり（変調度が大きくなるとき）が異なる時定数で平均化を行い変調度を推定する。例えば、立ち下がり時定数は１００ｍｓ、立ち上がりは０．０２ｍｓとする。これにより、変調度検出部４０１で検出される変調度は、変調度が大から小へ変化する場合には検出した変調度が緩やかに減衰することにより、フィルタ係数選択部２０５で選択されるフィルタ係数番号は緩やかに１個ずつ順次広帯域から狭帯域へ切り替わる。このため、フィルタ係数の切り替えによる帯域幅の変化は１ｄＢ以内に抑えられ、大きなノイズレベルの変動が発生しない。変調度が小から大へ変化する場合には検出した変調度は速やかに増大することにより、フィルタ係数選択部で選択されるフィルタ係数は急峻に広帯域化し、過変調となることを抑圧でき歪みの少ないＦＭ復調信号が得られる。
【００３４】
以上のように、本実施の形態２に係るＦＭ復調装置４００は、変調度検出部４０１を用いてＦＭ復調信号の変調度を検出し、ＦＭ復調に必要な帯域幅を確保することにより、実施の形態１の効果に加えて、さらに過変調歪みの発生を抑圧することができる。
【００３５】
なお、実施の形態１では、図２のグラフで示したような電界強度とフィルタ係数番号との関係を用いて電界強度に応じたフィルタ係数番号を選択するとしたが、本発明はこれに限定されない。例えば、フィルタ係数選択部２０４は、図５のグラフで示されるような電界強度とフィルタ係数番号との関係を用いて電界強度に応じたフィルタ係数番号を選択するとしてもよい。フィルタ係数選択部４０２についても同様である。
【００３６】
また、逆に、フィルタ係数選択部４０２は、図５のグラフで示されるような変調度とフィルタ係数番号との関係を用いて変調度に応じたフィルタ係数番号を選択するとしたが、本発明はこれに限定されない。例えば、フィルタ係数選択部４０２は、図２のグラフで示されるような変調度とフィルタ係数番号との関係を用いて変調度に応じたフィルタ係数番号を選択するとしてもよい。
【００３７】
さらに、フィルタ係数選択部２０４およびフィルタ係数選択部４０２において、図５のグラフで示されるような電界強度とフィルタ係数番号との関係または変調度とフィルタ係数番号との関係を用いてフィルタ係数番号を選択する場合には、電界強度検出部２０３または変調度検出部４０１は立ち下がりと立ち上がりとで同じ時定数を用いて平均化を行うとしてもよい。
【００３８】
なお、ブロック図（図１および図４など）の各機能ブロックは典型的には集積回路であるＬＳＩとして実現される。これらは個別に１チップ化されても良いし、一部又は全てを含むように１チップ化されても良い。
【００３９】
例えばフィルタ係数記憶部２０５などのメモリを除く機能ブロックが１チップ化されていても良い。
【００４０】
ここでは、ＬＳＩとしたが、集積度の違いにより、ＩＣ、システムＬＳＩ、スーパーＬＳＩ、ウルトラＬＳＩと呼称されることもある。
【００４１】
また、集積回路化の手法はＬＳＩに限るものではなく、専用回路又は汎用プロセサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサー を利用しても良い。
【００４２】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【００４３】
また、各機能ブロックのうち、符号化または復号化の対象となるデータを格納する手段だけ１チップ化せずに別構成としても良い。
【産業上の利用可能性】
【００４４】
本発明のＦＭ復調装置は、ＦＭ放送受信機におけるＦＭ復調装置として有用である。特に、車などの移動受信において電界強度が変動するカーＦＭラジオに適している。
【図面の簡単な説明】
【００４５】
【図１】実施の形態１におけるＦＭ復調装置の構成を示すブロック図である。
【図２】実施の形態１における電界強度とフィルタ係数番号の関係を示すグラフである。
【図３】実施の形態１におけるフィルタ係数記憶部の各フィルタ係数の周波数特性図である。
【図４】実施の形態２におけるＦＭ復調装置の構成を示すブロック図である。
【図５】実施の形態２における変調度とフィルタ係数番号の関係を示すグラフである。
【図６】従来のＦＭ復調装置の構成を示すブロック図である。
【図７】従来のＦＭ復調装置の電界強度と通過帯域幅の関係を示すグラフである。
【符号の説明】
【００４６】
２００、４００    ＦＭ復調装置
２０１    帯域制御フィルタ部
２０２    ＦＭ検波部
２０３    電界強度検出部
２０４、４０２    フィルタ係数選択部
２０５    フィルタ係数記憶部
２０６    変調度検出部
４０１    変調度検出部
【図１】
2008011171.tif 000003
【図２】
2008011171.tif 000004
【図３】
2008011171.tif 000005
【図４】
2008011171.tif 000006
【図５】
2008011171.tif 000007
【図６】
2008011171.tif 000008
【図７】
2008011171.tif 000009